(57)【要約】      （修正有）【課題】個々に、型崩れ、履き違え防止機能を設け、季節等による、利用者の変動に合わせ増減でき、用途が広がる、長靴用保管ラックを提供する。【解決手段】連結が可能な、架台２上辺に、対立した支柱１ａ、１ｂを取り付け、その支柱上部に、横支柱を設ける。スプリング１２ａを組み込んだ可動軸６に、可動軸受け５を差し込み、その可動軸受け５を、支柱１ａ、１ｂに取り付ける。可動軸６には、操作用のレバー、長靴を逆さに差し込み保管するための、収縮するポール８を取り付ける。収縮ポール８に長靴を保管、固定したとき、長靴が抜き取れないように、押さえ器具４を、支柱１ａ、１ｂに橋渡しをして取り付ける。支柱外側に、可動軸の腕部１６を支える器具、固定するためのカギ、可動軸６を止めるピンを設ける。【選択図】図１
2011092667.tif 000002
【特許請求の範囲】
【請求項１】
連結が可能な、架台上辺に、対立した支柱を取り付け、その支柱上部に、横支柱を設け、スプリングを組み込んだ可動軸に、可動軸受けを差し込み、その可動軸受けを、支柱に取り付け、可動軸には操作用のレバー、長靴を逆さに差し込み、保管するための、収縮するポールを取り付け、その収縮ポールに長靴が収まり、固定したとき、長靴が抜き取れないように、押さえ器具を、支柱に橋渡しをして取り付け、支柱外側には、可動軸の腕部を、支える器具、固定するためのカギ、可動軸を止めるピンを設け、可動軸の止めピンの位置を変えることで、収縮ポールの傾き角度が、手前に深く傾くように、可動軸止めピン穴を設け、連結対応部、連結対応穴にて、用途に合わせ、上部、横部に増減できる構造とし、上部に増設したときの、安定を保つため、伸び縮みできるベースを設けた、長靴用保管ラック。
【発明の詳細な説明】
【技術分野】
【０００１】  本発明は、不特定多数者の利用する施設等での長靴の履き違い等を防止し、保管する長靴用保管ラックに関するものである。
【背景技術】
【０００２】  従来、長靴を脱いだときの保管方法として、型崩れ等を防止するため、支持具等に逆さに保管収納する方法は知られていたが、不特定多数者が利用する施設等での長靴の保管は、個別に縦長の下駄箱の扉にカギをかけ、他人との履き違い等を防止していた。長靴用下駄箱は、短靴用下駄箱より設置数が少なく、季節等によって長靴利用者が多い場合には、長靴用下駄箱が不足となり、長靴を下駄箱の上部、床などに置くことになり、施設利用者への公平な対応の障害となっている。
また、ファッションの多様化に伴い、長靴を履く者が増加している。
【先行技術文献】
【０００３】
【特許文献１】特許公開２００５−６５８３１号公報
【特許文献２】登録実用新案第３１２２７４９号公報
【特許文献３】登録実用新案第３１３０９５１号公報
【発明の概要】
【発明が解決しようとする課題】
【０００４】そのために、次のような問題点があった。
（イ）従来の、逆さに差し込み長靴を保管する方法では、型崩れ等は防ぐことはできても、不特定多数者が利用する施設での、他人との履き違い等を防止する機能は満たしていない。
（ロ）長靴用下駄箱は、占有するスペースが多く必用で、また、季節等により、長靴を利用する者の変動が多く、長靴用下駄箱を必用以上に増やしても、スペースに無駄ができてしまう。
本発明は、以上の問題点を解決するためになされたものである。
【課題を解決するための手段】
【０００５】  連結可能な横長状の架台上辺に、対立した支柱を取り付け、その支柱の上部に横支柱を設ける。スプリングを組み込んだ可動軸に、可動軸受けを差し込み、その可動軸受けを支柱に取付ける。可動軸には操作用のレバー、長靴を逆さに差し込み保管するための収縮するポールを設ける。収縮ポールに長靴を保管し、固定したとき、長靴が抜き取れないように、押さえ器具を、収縮ポール上部先端より離して、支柱に橋渡しをして取付ける。  支柱の外側には、可動軸の腕部を支える器具、固定するためのカギ、可動軸を止めるピンを設ける。更に、可動軸の止めピンの位置を変えることで、収縮ポールの傾き角度が、手前に深く傾くように、可動軸止めピン穴を設ける。
連結対応部、連結対応穴にて、用途に合わせ上部、横部に増減できる構造とし、上部に増設したときの安定を保つため、架台下辺に伸び縮みが可能なベースを設ける。
以上の構成よりなる長靴用保管ラック。
【発明の効果】
【０００６】  本発明の、長靴用保管ラックは、収縮ポールに長靴を逆さに差し込み保管し、カギをかけ、固定することで、他人が長靴を抜き取ろうとすると、押さえ器具が障害物となり、長靴を抜き取ることが出来ない構造に、個々に、機能を設けられるため、履き違い等を防止でき、不特定多数者が利用する施設等での、設置が可能となる。
収縮するポールに、長靴を逆さに差込み保管することで、型崩れ等を防止し、また、長靴を差し込む収縮ポールが、手前に傾く機能を設け、上段部に設置の長靴用保管ラックの長靴の差込み、取り出しが容易になる。
施設の規模、利用目的、季節等による利用者の変動に合わせ、長靴用保管ラックの個数を増減することで、閑散期の無駄なスペースを省くことができ、用途が広がる。
【図面の簡単な説明】
【０００７】
【図１】本発明の斜視図
【図２】本発明の収縮ポール部を手前に倒した時の斜視図
【図３】本発明の収縮ポール部を垂直に立てカギにて固定した時の正面図
【図４】本発明の要部拡大平面図
【図５】本発明の可動軸を固定した時の側面図  （イ）左側面図、（ロ）右側面図
【図６】本発明の収縮ポールが可動軸受を軸に手前に傾いた時の側面図  （イ）左側面図、（ロ）右側面図
【図７】本発明の収縮ポール断面図
【発明を実施するための形態】
【０００８】以下、本発明の実施の形態を説明する。
（イ）連結対応部（１５）を設けた、横長状の架台（２）上辺に、対立した支柱（１ａ）（１ｂ）を平行に直立して設け、その支柱（１ａ）（１ｂ）上部に、横支柱（３）を、橋渡しをして設け、横長状の架台（２）下辺には、伸び縮みが可能な、ベース（１８）を設ける。
（ロ）可動軸（６）に、スプリング支えピン（１７）を設け、スプリング（１２ａ）を組込み、貫通穴（１９）を設けた、可動軸受け（５）を、可動軸腕部（１６）の両端より差込、対立した支柱（１ａ）（１ｂ）に可動軸受け（５）を設ける。
（ハ）可動軸（６）は、可動軸腕部（１６）と一体の形成となっている。
（ニ）可動軸（６）の中央部にレバー（７）を取り付け、可動軸（６）を固定したとき、直立になるように収縮ポール（８）を設ける。収縮ポール（８）は、長靴を逆さに差込み、保管したとき、長靴の重さで収縮し、靴底の高さに対応できるように内部に、スプリング（１２ｂ）を設ける。
（ホ）収縮ポール（８）に長靴を逆さに差込み保管、固定したとき、障害となって、長靴が抜き取れないように、押さえ器具（４）を、直立した収縮ポール（８）上部先端より離して、支柱（１ａ）（１ｂ）に橋渡しをして設ける。
（ヘ）支柱（１ａ）の外側に、可動軸支え器具（９）を設け、支柱（１ｂ）外側には、可動軸（６）を固定するための、デットボルト（２０）が上下するカギ（１３）を設ける。
（ト）支柱（１ａ）（１ｂ）の外側には、可動軸止めピン（１０）を設け、更に、可動軸止めピン（１０）の位置を変え、収縮ポール（８）が、より深く手前に傾き、長靴用保管ラックを、上部へ増設したとき、長靴の出し入れが容易になるように、可動止めピン穴（１１）を設ける。
（チ）支柱（１ａ）（１ｂ）、架台（２）及び横支柱（３）の各先端部には、用途に合わせ、上部、横部に増減できるよう、連結対応部（１５）、連結対応穴（１４）を設け、また、上部へ増設したときの安定を保つため、伸び縮みが可能な、ベース（１８）を、架台（２）下辺に設ける。
本発明は、以上のような構造である。
本発明を使用するときは、可動軸（６）の、レバー（７）を、スプリング（１２ａ）方向横に、操作し、可動軸腕部（１６）が、可動軸支え器具（９）の下部より、外れたところで、レバー（７）を奥側に押込むことで、収縮ポール（８）が、可動軸受け（５）を、軸にして手前に傾く。手前に傾いた収縮ポール（８）に、長靴を逆さに差込保管し、レバー（７）を手前に引き戻すことで、可動軸腕部（１６）が、可動軸支え器具（９）の、縁に沿って戻り、スプリング（１２ａ）の作用で、可動軸支え器具（９）の下部に収まったら、可動軸腕部（１６）を、デットボルト（２０）にて、固定するようにカギ（１３）をかけ、長靴を保管する。
可動軸腕部（１６）が固定され、直立した収縮ポール（８）が手前に傾むかないかぎり、押さえ器具（４）が、障害物となり、長靴の底部を押さえ、長靴を引き抜くことができなく、他人との履き違い等の防止となる。
また、施設の規模、利用目的、季節等に応じ、連結対応部（１５）、連結対応穴（１４）にて、長靴用保管ラックの個数を上部、横部に増減することで、用途が広がる。
【符号の説明】
【０００９】（１）支柱（ａ）左（ｂ）右、（２）架台、（３）横支柱、（４）押さえ器具、（５）可動軸受け、（６）可動軸、（７）レバー、（８）収縮ポール、（９）可動軸支え器具、（１０）可動軸止めピン、（１１）可動軸止めピン穴、（１２）スプリング（ａ）（ｂ）、（１３）カギ、（１４）連結対応穴、（１５）連結対応部、（１６）可動軸腕部、（１７）スプリング支えピン、（１８）ベース、（１９）貫通穴、（２０）デットボルト、
【図１】
2011092667.tif 000003
【図２】
2011092667.tif 000004
【図３】
2011092667.tif 000005
【図４】
2011092667.tif 000006
【図５】
2011092667.tif 000007
【図６】
2011092667.tif 000008
【図７】
2011092667.tif 000009